(57)【特許請求の範囲】
【請求項１】
舞台の後方に設置され、後方の背景イメージを表示する後方スクリーンと；
舞台の下方に設置され、下方の背景イメージを表示する下方スクリーンと；
舞台の前方に設置され、前方ホログラムイメージを表示する前方スクリーン；及び
前記前方ホログラムイメージを生成して投写する前方ホログラムイメージ用プロジェクターとを含み、
前記前方ホログラムイメージ用プロジェクターは、前記前方スクリーンの前方の上側に配置され、前記前方スクリーンに前記前方ホログラムイメージを直接投写し、
前記前方スクリーンは、セラミックボールレンズによってコーティングされた格子状網構造のネットスクリーンと、このネットスクリーンの縁に沿って設置され、前記ネットスクリーンの形を維持する支持部材とを含む
ことを特徴とするホログラム舞台装置。
【請求項２】
前記ネットスクリーンは、１５０ｋｇ／ｍｍ２以上の引っ張り強度と４％以下の伸び率とを有する
ことを特徴とする請求項１に記載のホログラム舞台装置。
【請求項３】
前記ネットスクリーンをコーティングするセラミックボールレンズは、７０μｍの粒度を有する
ことを特徴とする請求項２に記載のホログラム舞台装置。
【請求項４】
前記セラミックボールレンズの粘着度は、９９％である
ことを特徴とする請求項３に記載のホログラム舞台装置。
【請求項５】
前記ネットスクリーンの反射係数は、３．０Ｇａｉｎである
ことを特徴とする請求項４に記載のホログラム舞台装置。
【発明の詳細な説明】
【技術分野】
【０００１】
本発明は、ホログラム舞台装置に関する。より詳しくは、現実と仮想とが融合したリアリティー環境での公演を可能とさせるホログラム舞台装置に関する。
【背景技術】
【０００２】
最近、没入型コンテンツにおける市場の需要が増加している状況で、現実と仮想とを連結するリアリティー環境でミュージカルなどの公演をする傾向が増加している。
【０００３】
このようなリアリティー環境での公演のための従来のホログラム舞台装置が、図１に図示される。図１を参照すると、従来のホログラム舞台装置は、主に舞台の上に公演者１が立っていて、公演者１の前方にフォイル（Ｆｏｉｌ）スクリーンが４５度の角度で設置された。また、フォイルスクリーンの下には、反射板３０が設置されて、舞台装置の上側には、前記反射板３０にイメージを投写するプロジェクター２０が設置された。
【０００４】
従って、従来のホログラム舞台装置を用いる場合、プロジェクター２０から反射板３０にイメージ２を投写し、このイメージ２０を反射して、フォイルスクリーンにもイメージ３が投写されるようにする、フローティング方式の間接投写を介して、３次元的映像が具現された。
【０００５】
しかし、前記のような従来のホログラム舞台装置は、フォイルスクリーンを４５度の角度で設置しなければならなかったので、設置空間が広く確保しなければならない問題があって、鉄製フレーム１０のような付随的な構造物などを多く設置しなければならなかったので、公演する時、特設公演会場が確保されなければならない問題があった。
【０００６】
また、フォイルスクリーンの場合、輸入品に依存しているため、ホログラム舞台装置を組立てる時、費用が高くなる問題があった。
【０００７】
また、フォイルスクリーンの場合、ハイレゾリューション映像を具現しにくい問題があった。
【０００８】
また、フォイルスクリーンの場合、耐久性が弱く、維持することが難しいし、補修が不可能であるという問題があった。
【先行技術文献】
【特許文献】
【０００９】
【特許文献１】大韓民国公開特許第１０‐２０１３‐０００３１４５号
【発明の概要】
【発明が解決しようとする課題】
【００１０】
本発明は、前記のような問題を解決するために提案されたものであって、舞台の前方にセラミックボールレンズによってコーティングされた格子状網構造のネットスクリーンを適用し、ダイレクト方式によって、イメージを直接投写するように構成することによって、特設公演会場ではない、一般の多目的公演会場で特に制限なく公演ができて、従来のフォイルスクリーンの利用による高費用の問題を解決することができて、ハイレゾリューション映像の具現が可能になり、耐久性が強化されることができて、維持が簡単で補修ができるホログラム舞台装置を提供することを目的とする。
【課題を解決するための手段】
【００１１】
前記目的を達成するための本発明の実施例によるホログラム舞台装置は、舞台の後方に設置され、後方の背景イメージを表示する後方スクリーンと、舞台の下方に設置され、下方の背景イメージを表示する下方スクリーンと、舞台の前方に設置され、前方ホログラムイメージを表示する前方スクリーンと、前記前方ホログラムイメージを生成して投写する前方ホログラムイメージ用プロジェクターとを含むことを特徴とする。
【００１２】
前記前方ホログラムイメージ用プロジェクターは、前記前方スクリーンの前方の上側に配置され、前記前方スクリーンに前記前方ホログラムイメージを直接投写することが好ましい。
【００１３】
前記前方スクリーンは、セラミックボールレンズによってコーティングされた格子状網構造のネットスクリーンと、このネットスクリーンの縁に沿って設置され前記ネットスクリーンの形を維持する支持部材とを含むことが好ましい。
【００１４】
前記ネットスクリーンは、１５０ｋｇ／ｍｍ２以上の引っ張り強度と４％以下の伸び率とを有することが好ましい。
【００１５】
前記ネットスクリーンをコーティングするセラミックボールレンズは、７０μｍの粒度を有することが好ましい。
【００１６】
前記セラミックボールレンズの粘着度は、９９％であることが好ましい。
【００１７】
前記ネットスクリーンの反射係数は、３．０Ｇａｉｎであることが好ましい。
【００１８】
前記ネットスクリーンの最大伸び率は、４％であることが好ましい。
【発明の効果】
【００１９】
前述のようなホログラム舞台装置によると、舞台の前方にセラミックボールレンズによってコーティングされた格子状網構造のネットスクリーンを適用し、ダイレクト方式によってイメージを直接投写するように構成することによって、特設公演会場ではない、一般の多目的公演会場で特に制限なく公演することが可能になり、従来のフォイルスクリーンの利用による高費用の問題が解決できるようになり、ハイレゾリューション映像の具現ができるようになり、耐久性が強化できるようになり、維持が簡単で、補修が可能になる。
【図面の簡単な説明】
【００２０】
【図１】従来のホログラム舞台装置を示した図面である。
【図２】本発明の実施例によるホログラム舞台装置を概略的に示した図面である。
【図３】本発明の実施例によるホログラム舞台装置に適用された前方スクリーンを示した図面である。
【図４】本発明の実施例によるホログラム舞台装置にイメージが投写された状態を示した図面である。
【発明を実施するための形態】
【００２１】
以下、添付の図面を参照して本発明について具体的にみることにする。
但し、本発明を説明するにおいて、関連の公知機能、または、構成における具体的な説明が本発明の要旨を不要に混乱させると判断される場合には、その詳しい説明を省略する。用語が同一であっても表示する部分が異なると図面符号が一致しないことを予め記しておく。
【００２２】
そして、後述する用語等は、本発明での機能を考えて設定した用語等であり、これは、実験者及び測定者のような使用者の意図、または、慣例によって異なることがあるため、その定義は、本明細書全般における内容に基づいて下されるべきである。
【００２３】
本明細書で第１、第２などの用語は、様々な構成要素を説明することに用いられるが、前記構成要素等は、前記用語等によって限定されてはいけない。前記用語等は、一つの構成要素を他の構成要素から区別する目的のみに用いられる。例えば、本発明の権利範囲を外れないで、第１構成要素は、第２構成要素と命名されることができて、類似に、第２構成要素も第１構成要素と命名されることができる。
【００２４】
及び／またはという用語は、複数の関連の記載の項目等の組合せ、または、複数の関連の記載の項目等のうち、いずれかの項目を含む。
【００２５】
本明細書で用いる用語は、ただ特定の実施例を説明するために用いられたものであって、本発明を限定する意図ではない。単数の表現は、文脈上に明らかに異なることを意味しない限り、複数の表現を含む。
【００２６】
異なると定義されない限り、技術的や科学的用語を含めて、ここで用いられる全ての用語等は、本発明の属する技術分野で通常の知識を有する者によって、一般的に理解されるものと同じ意味を有している。一般的に用いられる辞書に定義されているのと同じ用語等は、関連技術の文脈上の有する意味と一致する意味を有すると解釈するべきであり、本出願で明らかに定義しない限り、理想的や過度に形式的な意味と解釈されない。
【００２７】
また、ある部分がある構成要素を"含む"という時、これは特に反対の記載が無い限り、他の構成要素を除くのではなく、他の構成要素をさらに含むことができることを意味する。 
【００２８】
以下、添付の図面を参照して、本発明の好ましい実施例を詳しく説明する。
図１は、従来のホログラム舞台装置を示した図面であり、図２は、本発明の実施例によるホログラム舞台装置を概略的に示した図面であり、図３は、本発明の実施例によるホログラム舞台装置に適用された前方スクリーンを示した図面であり、図４は、本発明の実施例によるホログラム舞台装置にイメージが投写された状態を示した図面である。
【００２９】
図１ないし図４を参照して説明すると、本発明の実施例によるホログラム舞台装置は、後方スクリーン１００と、下方スクリーン２００と、前方スクリーン３００と、前方ホログラムイメージ用プロジェクター４００とを含む。
【００３０】
前記後方スクリーン１００は、舞台の後方に設置され、後方の背景イメージ１１０を表示するスクリーンである。このような後方スクリーン１００に表示される後方の背景イメージは、舞台装置の前方の上側に設置される別途のプロジェクターによって投写されることがあるが、前記後方スクリーン１００の後面に配置されるプロジェクターによって投写されることもある。
【００３１】
前記下方スクリーン２００は、舞台の下方に設置され下方の背景イメージ２１０を表示するスクリーンである。このような下方スクリーン２００に表示される下方の背景イメージは、舞台装置の上側に設置される別途のプロジェクターによって投写されることがあるが、前記下方スクリーン２００の背面に配置されるプロジェクターによって投写されることもある。
【００３２】
前記前方スクリーン３００は、舞台の前方に設置され前方ホログラムイメージを表示するスクリーンである。このような前方スクリーン３００は、前記下方スクリーン２００に対し、９０度の角度で建つ状態で設置される。
【００３３】
前記前方ホログラムイメージ用プロジェクター４００は、前方ホログラムイメージを生成して、前記９０度の角度で建つ前方スクリーン３００に直接的に投写する。
このような前記前方ホログラムイメージ用プロジェクター４００は、前記前方スクリーン３００の前方の上側に配置される。
【００３４】
一方、前記前方スクリーン３００は、図３に図示されたように、セラミックボールレンズによってコーティングされた格子状網構造のネットスクリーン３１０と、このネットスクリーン３１０の縁に沿って設置され、前記ネットスクリーンの形を維持する支持部材３２０とを含む。
【００３５】
ここで、前記ネットスクリーン３１０は、超微粒子セラミックボールコーティング工法によって１５０ｋｇ／ｍｍ２以上の引っ張り強度と４％以下の伸び率とを有するように形成される。このような引っ張り強度と伸び率とを有する前記ネットスクリーン３１０は、高い耐久性と安全性を有することができるようになる。
【００３６】
一方、前記超微粒子セラミックボールコーティング工法に用いられるセラミックボールレンズは、７０μｍ以下の粒度を有することを特徴とし、このような超微粒子セラミックボールレンズを用いて前記ネットスクリーン３１０をコーティングする場合、前記ネットスクリーン３１０を介してハイレゾリューションの舞台映像を具現することができる。
【００３７】
一方、前記セラミックボールレンズは、粘着度が９９％以上のセラミックボールレンズを用いることが好ましい。このように、粘着度が９９％以上のセラミックボールレンズを用いて前記ネットスクリーン３１０をコーティングする場合、前記ネットスクリーン３１０を介して最上の画質を具現できるようになる。
【００３８】
前記ネットスクリーン３１０は、反射係数が３．０Ｇａｉｎ以上になるように構成されることが好ましい。このように前記ネットスクリーン３１０が、その反射係数が３．０Ｇａｉｎ以上の高輝度で構成する場合、よりハイレゾリューションの舞台映像が具現されることができる。
【００３９】
前述のような本発明の実施例によるホログラム舞台装置によると、舞台の前方にセラミックボールレンズによってコーティングされた格子状網構造のネットスクリーンを適用し、ダイレクト方式によってイメージを直接投写するように構成することによって、特設公演会場ではない、一般の多目的公演会場で特に制限なく公演することが可能になり、従来のフォイルスクリーンの利用による高費用の問題が解決できるようになり、ハイレゾリューション映像の具現ができるようになり、耐久性が強化できるようになり、維持が簡単で、補修が可能になる。
【００４０】
以上、本発明の特定の実施例について図示し、説明したが、本発明の技術分野で通常の知識を有する者であれば、下記の特許請求の範囲に記載の本発明の事象及び領域を外れない範囲内で、本発明を色々と修正及び変更できることを理解する必要がある。
【符号の説明】
【００４１】
１    公演者
２    イメージ
３    イメージ
１０    鉄製フレーム
２０    プロジェクター
３０    反射板
１００    後方スクリーン
１１０    後方の背景イメージ
２００    下方スクリーン
２１０    下方の背景イメージ
３００    前方スクリーン
３１０    ネットスクリーン
３２０    支持部材
４００    前方ホログラムイメージ用プロジェクター
【図１】
0006484352.tif 000002
【図２】
0006484352.tif 000003
【図３】
0006484352.tif 000004
【図４】
0006484352.tif 000005